(57)【要約】      （修正有）【課題】材料からではなく、連結スリーブの構成を簡単にでき、使用寿命を改善可能な入れ子管の連結スリーブを提供する。【解決手段】入れ子管の伸縮可能な内外両管の間の連結スリーブ４であって、その軸方向に沿うように、前記内外両管にそれぞれ緊迫的に外嵌することができる本体部４０と末端部４１とを連続的に有しており、前記末端部は環状になり、該環状の内面４１０には複数の中空状係止部４１１が前記内管を周りから緊迫的に挟むことができるように突出していることを特徴とする、入れ子管の連結スリーブ４。中空状係止部４１１としては、例として、末端部が前記内管に外嵌していない時、末端部の横断面または縦断面においてアーチ形になっているものとすれば良い。また、アーチ形としては、その両端縁とも前記内面と連続しているものはもちろん、その一端縁が前記内面と連続しており、他端縁が前記内面に隙間を空けるように臨んでいるものも良い。【選択図】図５
0003130519.tif 000002
【実用新案登録請求の範囲】
【請求項１】
入れ子管の伸縮可能な内外両管の間の連結スリーブであって、
その軸方向に沿うように、前記内外両管にそれぞれ緊迫的に外嵌することができる末端部と本体部とを連続的に有しており、
前記末端部は環状になり、該環状の内面には複数の中空状係止部が前記内管を周りから緊迫的に挟むことができるように突出していることを特徴とする、入れ子管の連結スリーブ。
【請求項２】
前記中空状係止部は、前記末端部が前記内管に外嵌していない時、前記末端部の横断面においてアーチ形になっていることを特徴とする、請求項１に記載の入れ子管の連結スリーブ。
【請求項３】
前記中空状係止部は、前記末端部が前記内管に外嵌していない時、前記末端部の縦断面においてアーチ形になっていることを特徴とする、請求項１に記載の入れ子管の連結スリーブ。
【請求項４】
前記アーチ形は、前記横断面において、その中央部がピークになっており、且つ他のあらゆる中空状係止部のアーチ形のピークと、その内径が前記内管の外径より大きくない円形に隙間を空けて並んでいることを特徴とする、請求項２に記載の入れ子管の連結スリーブ。
【請求項５】
前記アーチ形は、その両端縁とも前記内面と連続しており、且つ各端縁と前記内面との間にＶ字形のグルーブが形成してあることを特徴とする、請求項２に記載の入れ子管の連結スリーブ。
【請求項６】
前記アーチ形は、その一端縁が前記内面と連続しており、他端縁が前記内面に隙間を空けるように臨んでおり、また、前記一端縁と前記内面との間にＶ字形のグルーブが形成してあることを特徴とする、請求項２に記載の入れ子管の連結スリーブ。
【請求項７】
前記アーチ形は、前記縦断面において、その中央部がピークになっており、且つ、前記横断面において、他のあらゆる中空状係止部のアーチ形ピークと、その内径が前記内管の外径より大きくない円形の連続的な稜線になっていることを特徴とする、請求項３に記載の入れ子管の連結スリーブ。
【請求項８】
前記アーチ形は、前記内面の軸方向における開口縁から最内縁までに延在していることを特徴とする、請求項３に記載の入れ子管の連結スリーブ。
【請求項９】
前記アーチ形は、その両端縁とも前記内面と連続していることを特徴とする、請求項３に記載の入れ子管の連結スリーブ。
【請求項１０】
前記アーチ形は、その一端縁が前記内面と連続しており、他端縁が前記内面に隙間を空けるように臨んでいることを特徴とする、請求項３に記載の入れ子管の連結スリーブ。
【考案の詳細な説明】
【技術分野】
【０００１】
本考案は、入れ子管の連結スリーブに関し、特に入れ子管の伸縮可能な内外両管の間の連結スリーブに関する。
【背景技術】
【０００２】
従来から、伸縮式ロッドや、カメラ用三脚、登山用杖などに入れ子管構造が多用されている。入れ子管とは、２以上の直径が異なるパイプを出入り可能に嵌合させてなる、長さ調整可能なものである。
【０００３】
図１の登山用杖を例として挙げると、このような入れ子管構造１は、通常、入れ子管１の伸縮可能な内１２外１１両管の間には連結スリーブ２が設けられている。この連結スリーブ２は、その両端部で前記内外両管にそれぞれ外嵌することができる上、その、内管１２に外嵌する端部の内面には、図２に示すように、複数の係止部２１が前記内管１２を周りから緊迫的に挟んで一時的に係止することができるように突起しているので、特に力を入れない限り各内外両管をいずれかの伸縮位置に保持することができる。
【０００４】
しかしながら、このような突起構造は、複数で周りから内管を挟んで係止することにより、内外両管を所定の伸縮位置に一時的に保持することができるが、それ自体が、内外両管の伸縮時に繰り返し折り曲げられるので、破裂させられたり磨耗されたりしやすい欠点がある。
【０００５】
この欠点に対し、連結スリーブの構成材料から考え、例えば可撓性及び強靭性のもっと良いものを使用すれば多少軽減させることができるが、コスト増を招来するのがその欠点である。
【考案の開示】
【考案が解決しようとする課題】
【０００６】
前記問題点に鑑みて、本考案は、材料からではなく、連結スリーブの構成を簡単に改善して前記欠点を解消するのが、その目的である。
【課題を解決するための手段】
【０００７】
前記目的を達成するために、本考案は、入れ子管の伸縮可能な内外両管の間の連結スリーブであって、その軸方向に沿うように、前記内外両管にそれぞれ緊迫的に外嵌することができる本体部と末端部とを連続的に有しており、前記末端部は環状になり、該環状の内面には複数の中空状係止部が前記内管を周りから緊迫的に挟むことができるように突出していることを特徴とする、入れ子管の連結スリーブを提供する。
【０００８】
前記中空状係止部としては、例として、前記末端部が前記内管に外嵌していない時、前記末端部の横断面または縦断面においてアーチ形になっているものとすれば良い。
【０００９】
また、前記アーチ形としては、その両端縁とも前記内面と連続しているものはもちろん、その一端縁が前記内面と連続しており、他端縁が前記内面に隙間を空けるように臨んでいるものも良い。
【考案の効果】
【００１０】
前記構成による連結スリーブは、入れ子管の内管を係止する複数の係止部が中空状であるので、弾性があって、可撓性及び変形性が良く、入れ子管の内外両管の伸縮時に繰り返し折り曲げられるのに対し、従来のものより丈夫で、破裂させられたり磨耗されたりしにくくなる。従って、前記構成による連結スリーブは、特に可撓性及び強靭性の良い材料に変えられなくても、使用寿命が改善される。
【考案を実施するための最良の形態】
【００１１】
以下、添付図面を参照して本考案の好適な実施の形態を詳細に説明する。なお、図中、似ている部品には、同一の参照符号を付する。
【００１２】
まず、図３〜図８を参照しながら本考案の第１の実施形態の入れ子管の連結スリーブを説明する。
【００１３】
この実施形態の入れ子管の連結スリーブ４は、図３に示すように、従来の連結スリーブと同じく、入れ子管３の伸縮可能な内３２外３１両管の間に設けられるものであるが、その軸方向に沿うように、内３２外３１両管にそれぞれ緊迫的に外嵌することができる末端部４１と本体部４０とを連続的に有している。末端部４１は環状になり、該環状の内面４１０には複数の中空状係止部４１１が内管３２を周りから緊迫的に挟むことができるように突出している。
【００１４】
次に、図４及び図５をも参照すると、中空状係止部４１１は、末端部４１が内管３２に外嵌していない時、末端部４１の横断面においてアーチ形になっている。
【００１５】
また、前記アーチ形は、前記横断面において、その中央部がピーク４１２になっており、且つ他のあらゆる中空状係止部４１１（この例においては他に三つの中空状係止部４１１がある）のアーチ形のピーク４１２と、その内径ｄが内管３２の外径Ｄより大きくない円形に隙間を空けて並んでいる（この例においては９０°の角距離おきに並んでいる）。
【００１６】
なお、前記アーチ形は、その両端縁４１４、４１４とも内面４１０と連続しており、且つ各端縁４１４と内面４１０との間にＶ字形４１５のグルーブが形成してある。
【００１７】
次に、図６及び図７を参照すると、この実施形態の連結スリーブが入れ子管３の伸縮可能な内３２外３１両管の間に設けられているとき、末端部４１は複数の中空状係止部４１１で内管３２に外嵌している上、各中空状係止部４１１はそれぞれの中空部４１３により可撓性が良いので、内管３２を周りから弾性的且つ緊迫的に挟んで一時的に係止している。それがために、特に力を入れて相対的に引っ張ったりまたは押し付けたりしない限り各内３２外３１両管をいずれかの伸縮位置に保持することができる。
【００１８】
次に、図８を参照しながら本実施形態の変形例を説明する。この変形例における前記アーチ形は、その一端縁４１４ＡがＶ字形のグルーブ４１５Ａを介して内面４１０と連続しているが、他端縁４１４Ｂが内面４１０に隙間４１６を空けるように臨んでいる外、他の構造は、前記実施形態例とまったく同じなので、ここでその説明を省く。この異なる点により、中空状係止部４１１Ａの可撓性・変形性がもっと良くなっている。
【００１９】
そして、図９〜図１１を参照しながら本考案の第２の実施形態の入れ子管の連結スリーブを説明する。
【００２０】
この実施形態の連結スリーブ４Ｂの中空状係止部４１１Ｂは、図９に示すように、末端部４１Ｂが内管３２に外嵌していない時、末端部４１Ｂの縦断面においてアーチ形になっている。
【００２１】
また、前記アーチ形は、前記縦断面において、その中央部がピーク４１２Ｂになっており、且つ、前記横断面において、他のあらゆる中空状係止部４１１Ｂのアーチ形ピーク４１２Ｂと、その内径ｄが内管３２の外径Ｄより大きくない円形の連続的な稜線になっている。
【００２２】
なお、前記アーチ形は、末端部４１Ｂの内面４１０Ｂの軸方向における開口縁から最内縁までに延在している上、その両端縁とも内面４１０Ｂと連続している。
【００２３】
本実施形態の入れ子管の連結スリーブの他の構造は、前記第１の実施形態のと同じなので、ここでその説明を省く。
【００２４】
さらに、図１１を参照しながら本実施形態の変形例を説明する。この変形例においては、前記アーチ形は、その一端縁４１４Ｄが内面４１０Ｃと連続しており、他端縁４１４Ｅが内面４１０Ｃに隙間４１６Ａを空けるように臨んでいる外、他の構造は、前記実施形態例とまったく同じなので、ここでその説明を省く。
【００２５】
従って、本実施形態の入れ子管の連結スリーブは、縦断面においてアーチ形になっている中空状係止部（４１１Ｂ、４１１Ｃ）を有していて、第１実施形態における中空状係止部４１１の内管３２を周りから緊迫的に挟んで一時的に係止することと同じ効果を果たすことができる。
【００２６】
本考案は、その精神及び必須の特徴事項から逸脱することなく他のやり方で実施することができる。従って、本明細書に記載した好ましい実施例は例示的なものであり、限定的なものではない。
【産業上の利用可能性】
【００２７】
叙上のように、本考案の連結スリーブは、その係止部が弾性的変形性が良くて、入れ子管の内外両管の伸縮時に繰り返し折り曲げられるのに対し、従来のものより丈夫で、破裂させられたり磨耗されたりしにくくなるので、使用寿命が改善され、産業上の利用価値が向上される。
【図面の簡単な説明】
【００２８】
【図１】従来の連結スリーブが備わっている登山用杖の側面図である。
【図２】図１の２−２線に沿う拡大断面図である。
【図３】本考案の第１の実施形態の連結スリーブが備わっている入れ子管の部分縦断面図（部分分解時）である。
【図４】本考案の第１の実施形態の連結スリーブの横断面図である。
【図５】本考案の第１の実施形態の連結スリーブの斜め下からみた斜視図である。
【図６】本考案の第１の実施形態の連結スリーブが備わっている入れ子管の部分縦断面図（結合時）である。
【図７】図６の７−７線断面図である。
【図８】本考案の第１の実施形態の連結スリーブの変形例の横断面図である。
【図９】本考案の第２の実施形態の連結スリーブが備わっている入れ子管の部分縦断面図（部分分解時）である。
【図１０】本考案の第２の実施形態の連結スリーブが備わっている入れ子管の部分縦断面図（結合時）である。
【図１１】本考案の第２の実施形態の連結スリーブの変形例が備わっている入れ子管の部分縦断面図である。
【符号の説明】
【００２９】
３                  入れ子管
３１                外管
３２                内管
４、４Ｂ            連結スリーブ
４０                本体部
４１、４１Ｂ        末端部
４１０、４１０Ｂ、４１０Ｃ              内面
４１１、４１１Ａ、４１１Ｂ、４１１Ｃ    中空状係止部
４１２、４１２Ｂ    ピーク
４１３              中空部
４１４、４１４Ｃ    端縁
４１４Ａ、４１４Ｄ  一端縁
４１４Ｂ、４１４Ｅ  他端縁
４１５、４１５Ａ    Ｖ字形グルーブ
４１６、４１６Ａ    隙間
Ｄ                  内管の外径
ｄ                  末端部の内径
【図１】
0003130519.tif 000003
【図２】
0003130519.tif 000004
【図３】
0003130519.tif 000005
【図４】
0003130519.tif 000006
【図５】
0003130519.tif 000007
【図６】
0003130519.tif 000008
【図７】
0003130519.tif 000009
【図８】
0003130519.tif 000010
【図９】
0003130519.tif 000011
【図１０】
0003130519.tif 000012
【図１１】
0003130519.tif 000013